(57)【要約】【課題】連続して出水したときの冷水の温度上昇を抑制することができる飲料水供給装置を提供する。【解決手段】飲料水供給装置１は、上端の開口１１ａから流入する常温水Ｗを内部空間１１０に貯留して下端の出水口２２ａから出水する冷水タンク１１を備える。また、飲料水供給装置１は、冷水タンク１１に固定され、内部空間１１０の上下方向の途中に位置する仕切り板１１１と、冷水タンク１１の外周面に沿って配設され、仕切り板１１１より下方側に滞留する常温水Ｗを冷却する冷却器１３とを備える。仕切り板１１１は、冷水タンク１１の内周より小さい外周を有する板状部１１２と、冷水タンク１１の内底面に延在して当該板状部１１２を支持する支持部１１３とを有する。板状部１１２は、外周面から突出し、周方向に間隔をおいて形成される複数の凸部１１５を有する。【選択図】図３
2020093799.tif 000002
【特許請求の範囲】
【請求項１】
上端の開口から流入する飲料水を内部空間に貯留して下端の出水口から出水する容器と、
前記容器に固定され、前記内部空間の上下方向の途中に位置する仕切り板と、
前記容器の外周面に沿って配設され、前記仕切り板より下方側に滞留する飲料水を冷却する冷却器と、
を備え、
前記仕切り板は、
前記容器の内周より小さい外周を有する板状部と、
前記容器の内底面に延在して当該板状部を支持する支持部と、
を有し、
前記板状部の外周面または前記板状部の外周面と対向する前記容器の内周面のいずれか一方から突出し、周方向に間隔をおいて形成される複数の凸部を有する
ことを特徴とする飲料水供給装置。
【請求項２】
複数の前記凸部は、
前記板状部の外周面から外側に突出する
請求項１に記載の飲料水供給装置。
【請求項３】
複数の前記凸部は、
前記板状部の外周面から外側に突出し、当該板状部の中心を挟んで互いに直交する方向にそれぞれ形成される
請求項１または２に記載の飲料水供給装置。
【請求項４】
前記仕切り板は、
前記支持部において、前記板状部に設けられた開口に連通し、前記開口から流入する前記飲料水を貯留して下方向の貫通孔から出水する凹部を有し、
前記容器の底面を貫通する前記貫通孔に挿通され前記凹部内の空間部と連通する２つの配管の端部に固定される
請求項１〜３のいずれか１項に記載の飲料水供給装置。
【発明の詳細な説明】
【技術分野】
【０００１】
本発明は、飲料水供給装置に関する。
【背景技術】
【０００２】
飲料水供給装置の一例として、ウォーターサーバがある。ウォーターサーバは、飲料水タンクに貯留された飲料水を、利用者の操作に応じて出水口から出水するものである（例えば、特許文献１，２参照）。このようなウォーターサーバでは、低温の飲料水を貯留する冷水タンクの内部空間を上部空間と下部空間とに仕切る仕切り板（バッフル板）が配設されている。仕切り板は、例えば、冷水タンクの下部外周に配置された冷却装置で冷却されて冷水タンクの下部に溜まった低温の飲料水が、冷水タンク内に供給される常温の飲料水で撹拌されるのを防止する。冷水タンク内の上部空間と下部空間とは、仕切り板の外周面と冷水タンクの内周面との間の隙間を介して連通し、上部空間と下部空間との間で飲料水が流通可能になっている。
【先行技術文献】
【特許文献】
【０００３】
【特許文献１】特開２００９−１２８０号公報
【特許文献２】特開２０１３−１８０８０８号公報
【発明の概要】
【発明が解決しようとする課題】
【０００４】
ところで、仕切り板と冷水タンクとの隙間は、各部品の精度等により仕切り板の外周面の一部が冷水タンクの内周面に接触することで偏りが生じて均一にならない場合がある。仕切り板と冷水タンクとの隙間に偏りが生じた状態で、冷水を連続して出水した場合、大きい隙間により下部空間へ流れる常温の飲料水が増加し、下部空間に滞留する低温の飲料水が急速に常温の飲料水と混合するので、連続して出水口から出水される低温飲料水（冷水）の温度上昇が早くなる点で改善の余地がある。
【０００５】
本発明は、上記課題に鑑みてなされたものであって、連続して出水したときの冷水の温度上昇を抑制することができる飲料水供給装置を提供することを目的とする。
【課題を解決するための手段】
【０００６】
上記目的を達成するために、本発明に係る飲料水供給装置は、上端の開口から流入する飲料水を内部空間に貯留して下端の出水口から出水する容器と、前記容器に固定され、前記内部空間の上下方向の途中に位置する仕切り板と、前記容器の外周面に沿って配設され、前記仕切り板より下方側に滞留する飲料水を冷却する冷却器と、を備え、前記仕切り板は、前記容器の内周より小さい外周を有する板状部と、前記容器の内底面に延在して当該板状部を支持する支持部と、を有し、前記板状部の外周面または前記板状部の外周面と対向する前記容器の内周面のいずれか一方から突出し、周方向に間隔をおいて形成される複数の凸部を有することを特徴とする。
【０００７】
また、上記飲料水供給装置において、複数の前記凸部は、前記板状部の外周面から外側に突出するものである。
【０００８】
また、上記飲料水供給装置において、複数の前記凸部は、前記板状部の外周面から外側に突出し、当該板状部の中心を挟んで互いに直交する方向にそれぞれ形成されるものである。
【０００９】
また、上記飲料水供給装置において、前記仕切り板は、前記支持部において、前記板状部に設けられた開口に連通し、前記開口から流入する前記飲料水を貯留して下方向の貫通孔から出水する凹部を有し、前記容器の底面を貫通して前記貫通孔に挿通され前記凹部内の空間部と連通する２つの配管の端部に固定されるものである。
【発明の効果】
【００１０】
本発明に係る飲料水供給装置によれば、連続して出水したときの冷水の温度上昇を抑制することができる、という効果を奏する。
【図面の簡単な説明】
【００１１】
【図１】図１は、実施形態に係る飲料水供給装置の概略構成を示す模式図である。
【図２】図２は、実施形態における冷水タンクの概略構成を示す平面図である。
【図３】図３は、実施形態における冷水タンクの概略構成を示す部分断面斜視図である。
【図４】図４は、実施形態における冷水タンクの概略構成を示す断面図である。
【図５】図５は、実施形態における冷水タンクの概略構成を示す部分断面平面図である。
【発明を実施するための形態】
【００１２】
以下に、本発明に係る飲料水供給装置の実施形態を図面を参照しつつ詳細に説明する。なお、下記実施形態により本発明が限定されるものではない。すなわち、下記実施形態における構成要素には、当業者が容易に想定できるもの、あるいは実質的に同一のものが含まれ、発明の要旨を逸脱しない範囲で、種々の省略、置き換え、変更を行うことができる。
【００１３】
［実施形態］
本実施形態に係る飲料水供給装置を図１〜図５を参照して説明する。なお、図２〜図４は、冷水タンクの蓋部を取り外した状態を表している。図２は、冷水タンクを真上から見た状態を表している。飲料水供給装置１は、いわゆるウォーターサーバであり、常温の飲料水（以下、「常温水」ともいう。）Ｗ、低温の飲料水（以下、「冷水」ともいう。）ＣＷ、高温の飲料水（以下、「温水」ともいう。）ＨＷを出水するものである。飲料水供給装置１は、図１に示すように、主に、常温水タンク１０と、冷水タンク１１と、温水タンク１２と、冷却器１３と、加熱器１４と、複数の配管２０，２１，２２，２３，２４と、複数の電磁弁３１，３２，３３と、出水口４０とを含んで構成される。飲料水供給装置１では、これら各部が筐体（不図示）に収容されている。
【００１４】
なお、以下の説明において、図２〜図５に示すＸ方向は、本実施形態の飲料水供給装置１の奥行き方向とする。Ｙ方向は、本実施形態の飲料水供給装置１の幅方向とする。Ｚ方向は、本実施形態の飲料水供給装置１の上下方向とする。Ｚ方向において、Ｚ１方向が上方向、Ｚ２方向が下方向である。Ｘ方向、Ｙ方向、及びＺ方向は、相互に直交する。なお、上下方向は原則として鉛直方向であるが、これに限定されるものではない。
【００１５】
常温水タンク１０は、円筒状に形成され、常温水Ｗを貯留する容器である。常温は、飲料水供給装置１が設置された環境の温度であり、例えば、飲料水供給装置１が室内に設置されている場合には室内温度である。本実施形態の常温水タンク１０は、例えば、交換用の給水容器として、着脱可能に構成されており、飲料水供給装置１の上方側に配置される。常温水タンク１０は、内部に常温水Ｗが充填された状態で、飲料水供給装置１の容器受け１５に載置される。飲料水供給装置１は、常温水タンク１０と冷水タンク１１とを連通する配管２０を有する。配管２０は、常温水タンク１０と冷水タンク１１とを連通し、常温水タンク１０から冷水タンク１１に常温水Ｗを送る水路である。常温水タンク１０内の常温水Ｗは、配管２０を介して冷水タンク１１に流入する。配管２０には、自動（または手動）により配管２０の常温水Ｗの流れを止水する止水弁（不図示）が設けられていてもよい。
【００１６】
冷水タンク１１は、常温水タンク１０から供給される常温水Ｗを冷却し、冷水ＣＷとして貯留する容器である。本実施形態の冷水タンク１１は、例えば、飲料水供給装置１の上方側と下方側との間の中間部に配置される。冷水タンク１１は、円筒状に形成され、上端の開口１１ａから流入する常温水Ｗを内部空間１１０に貯留して下端の出水口２２ａから出水するものである。開口１１ａは、冷水タンク１１が飲料水供給装置１に収容された状態において、貫通孔を有する蓋部（不図示）により閉塞されている。この蓋部に設けられた貫通孔には、配管２０が挿通される。内部空間１１０は、配管２０の配管を介して常温水タンク１０と連通している。冷水タンク１１は、周囲を断熱材等で覆われており、冷気を逃さないように断熱構造を有する。冷水タンク１１は、図２、図３に示すように、当該冷水タンク１１の内底面に固定され、内部空間１１０の上下方向の途中に位置する仕切り板１１１を有する。仕切り板１１１は、冷水タンク１１に取り付けられた状態で外周面と冷水タンク１１の内周面との間に隙間（以下、単に「隙間」とも呼ぶ。）が形成され、この隙間を通って常温水Ｗが仕切り板１１１の上方向から下方向に流れる。仕切り板１１１は、冷水タンク１１の内部空間１１０において、常温水Ｗが滞留する常温水層と、冷水ＣＷが滞留する冷水層とに分けている。常温水層は、仕切り板１１１から上方向に向けて形成され、冷水層は、仕切り板１１１から下方向に向けて形成される。常温水層と冷水層とは、上記隙間を介して連通する。仕切り板１１１は、常温水タンク１０から冷水タンク１１に常温水Ｗが供給されるときに、冷却器１３で冷却されて冷水タンク１１の下部に溜まった冷水ＣＷが、常温水タンク１０から冷水タンク１１内に供給される常温水Ｗで攪拌されるのを防止する。
【００１７】
仕切り板１１１は、円形状に形成され、冷水タンク１１の内径（または内周）より小さい外径（または外周）を有する板状部１１２と、冷水タンク１１の内底面に延在して板状部１１２を支持する支持部１１３とを有する。板状部１１２は、外周面から突出し、周方向に間隔をおいて形成される４つの凸部１１５を有する。本実施形態の板状部１１２は、外周面から外側に突出し、当該板状部１１２の中心Ｏを挟んで第一方向Ｐに対向して形成される一対の凸部１１５を有する。中心Ｏは、図２に示すように、板状部１１２の水平方向における中心である。第一方向Ｐは、例えば、仕切り板１１１をＺ１方向（真上方向）から見た場合、幅方向（Ｙ方向）に対して時計周りに略４５°傾いた方向である。板状部１１２は、さらに、外周面から外側に突出し、当該板状部１１２の中心Ｏを挟んで第一方向Ｐと直交する第二方向Ｑに対向して形成される一対の凸部１１５を有する。４つの凸部１１５は、板状部１１２の外周面に沿って一定の間隔をおいて形成されている。凸部１１５の高さは、冷水タンク１１に対する仕切り板１１１の組み付けやすさを考慮して設定される。例えば、凸部１１５は、図５に示すように、仕切り板１１１が冷水タンク１１に取り付けられた状態で、冷水タンク１１の内周面と接触しない高さを有する。言い換えると、一対の凸部１１５が設けられた外周の外径は、従来の板状部の外径よりも大きく、冷水タンク１１の内径よりも小さく設定される。
【００１８】
支持部１１３は、板状部１１２に設けられた開口１１４ａに連通し、開口１１４ａから流入する常温水Ｗを貯留して下方向（Ｚ２方向）の貫通孔１１７，１１８から出水する凹部１１４を有する。開口１１４ａは、楕円形状に形成され、奥行き方向に長径、幅方向に短径を有する。貫通孔１１７，１１８は、凹部１１４の内底面に奥行き方向に間隔をおいて形成される。支持部１１３は、冷水タンク１１の底面を貫通して貫通孔１１７，１１８に挿通され凹部１１４内の空間部１１６と連通する２つの配管２１，２４の端部に固定される。貫通孔１１７は、仕切り板１１１が冷水タンク１１に取り付けられた状態で、常温水層に滞留する常温水Ｗを出水口４０に送る配管２１が挿通される。貫通孔１１８は、仕切り板１１１が冷水タンク１１に取り付けられた状態で、常温水層に滞留する常温水Ｗを温水タンク１２に送る配管２４が挿通される。配管２４は、冷水タンク１１と温水タンク１２とを連通し、冷水タンク１１から温水タンク１２に常温水Ｗを送る水路である。
【００１９】
冷水タンク１１には、例えば、冷水タンク１１内に溜まった常温水Ｗの水位を検知する水位センサ（不図示）が取り付けられている。この水位センサで検知される水位が下がると、その水位の低下に応じて、常温水タンク１０から冷水タンク１１に常温水Ｗが供給される。冷水タンク１１には、内部に溜まった冷水ＣＷを外部に排出するドレインＤが設けられている。このドレインＤを開栓することで冷水タンク１１内に溜まった冷水ＣＷを排水することができる。
【００２０】
温水タンク１２は、円筒状に形成され、常温水タンク１０から供給される常温水Ｗを加熱し、温水ＨＷとして貯留する容器である。温水タンク１２は、熱を外部に逃さないように断熱構造を有する。温水タンク１２は、例えば、飲料水供給装置１の下方側に配置される。飲料水供給装置１は、冷水タンク１１と温水タンク１２とを連通する配管２４を有する。冷水タンク１１内の常温水Ｗは、この配管２４を介して温水タンク１２に流入する。温水タンク１２には、冷水タンク１１と同様に、ドレインＤが設けられている。このドレインＤを開栓することで温水タンク１２内に溜まった温水ＨＷを排水することができる。
【００２１】
冷却器１３は、冷水タンク１１内に滞留する常温水Ｗと熱交換を行うことにより、常温水Ｗの温度を低下させるものであり、冷水タンク１１の外周面に沿って配設されている。冷却器１３は、仕切り板１１１より下方側に滞留する常温水Ｗを冷却するように構成されている。冷却器１３は、不図示の制御部に電気的に接続されており、制御部の指示により、冷水タンク１１内の常温水Ｗを予め設定された冷水温度（常温水の温度よりも低い温度）まで低下させることで、冷水ＣＷとすると共に、冷水ＣＷの温度を冷水温度に維持、すなわち常温水Ｗを冷水ＣＷとして維持するように駆動する。
【００２２】
加熱器１４は、温水タンク１２内に滞留する常温水Ｗと熱交換を行うことにより、常温水Ｗの温度を上昇させるものであり、温水タンク１２の内部に配設されている。加熱器１４は、温水タンク１２内に貯留している温水ＨＷを高温に保つようになっている。加熱器１４は、不図示の制御部に電気的に接続されており、制御部の指示により、温水タンク１２内の常温水Ｗを予め設定された温水温度（常温水の温度よりも高い温度）まで上昇させることで、温水ＨＷとすると共に、温水ＨＷの温度を温水温度に維持、すなわち常温水Ｗを温水ＨＷとして維持するように駆動する。
【００２３】
配管２１は、冷水タンク１１と出水口４０とを連通し、冷水タンク１１から出水口４０に常温水Ｗを送る水路である。配管２１は、冷水タンク１１において、仕切り板１１１から上方側に滞留する常温水Ｗを出水口４０まで導くものである。配管２１の途中には、電磁弁３１が配設されている。
【００２４】
配管２２は、配管２１と異なる位置で冷水タンク１１と出水口４０とを連通し、冷水タンク１１から出水口４０に冷水を送る水路である。配管２２は、冷水タンク１１において、仕切り板１１１から下方側に滞留する冷水ＣＷを出水口４０まで導くものである。配管２２の途中には、電磁弁３２が配設されている。
【００２５】
配管２３は、温水タンク１２と出水口４０と連通し、温水タンク１２から出水口４０に温水を送る水路である。配管２３は、温水タンク１２内に貯留する温水ＨＷを出水口４０まで導くものである。配管２３の途中には、電磁弁３３が配設されている。
【００２６】
電磁弁３１〜３３は、対応する配管２１，２２，２３を電気的に開閉するものである。具体的には、電磁弁３１は、配管２１上に配設され、配管２１を開閉する。電磁弁３２は、配管２２上に配設され、配管２２を開閉する。電磁弁３３は、配管２３上に配設され、配管２３を開閉する。電磁弁３１〜３３は、主に、不図示のソレノイドコイルと、開閉弁と、スプリングとを含んで構成される。電磁弁３１〜３３は、非通電状態において、スプリングにより開閉弁を下方向に付勢して、当該開閉弁を閉位置に移動させ、通電状態において、不図示の電源からソレノイドコイルに通電することによって周囲に磁束が生じ、開閉弁を上方向に駆動して開位置に移動させる。電磁弁３１〜３３は、不図示の操作部からの操作信号に応じて、非通電状態から通電状態に遷移し、開閉弁を駆動して閉位置から開位置にする。
【００２７】
次に、冷水タンク１１に対する仕切り板１１１の組み付け作業について簡単に説明する。まず、作業者は、冷水タンク１１の内底面の中央付近に設けられた２つの貫通孔に対して配管２１，２４を挿通させる。次に、作業者は、冷水タンク１１の外底面に対して、溶接治具を用いて配管２１，２４をそれぞれ溶接固定する。次に、作業者は、冷水タンク１１の内底面から突出している配管２１，２４の端部にそれぞれ樹脂製パッキンを嵌め込んで取り付ける。次に、作業者は、板状部１１２の上面に設けられた２箇所の窪みを把持し、仕切り板１１１を冷水タンク１１の開口１１ａに対して真上から降ろしていき、凹部１１４底面の貫通孔１１７，１１８に配管２１，２４の端部を嵌め込み、仕切り板１１１を下方向に押し込む。このようにして、冷水タンク１１に仕切り板１１１を組み付ける。
【００２８】
従来は、仕切り板の外周面に凸部が形成されていないことから、作業者が仕切り板の組み付け時に仕切り板の外周面と冷水タンクの内周面との間の隙間に偏りが有るか確認し、偏りがあるときには修正等の作業を行っている。一方、本実施形態の仕切り板１１１は、板状部１１２が、外周面から外側に突出し、周方向に間隔をおいて形成される複数の凸部１１５を有する。これにより、仕切り板１１１の組み付け時において、凸部１１５が設けられた各方向に偏りがあっても、凸部１１５が冷水タンク１１の内周面に接触することで、各方向への偏りを抑制することがきる。また、凸部１１５が設けられていない方向に偏りがあっても、当該方向を挟んで隣り合う２つの凸部１１５が、冷水タンク１１の内周面に接触することで、当該方向への偏りを抑制することが可能となる。
【００２９】
次に、飲料水供給装置１における冷水ＣＷの出水動作の一例について簡単に説明する。飲料水供給装置１では、利用者が操作部の操作レバー（不図示）を操作することで、常温水Ｗ、冷水ＣＷ、及び温水ＨＷのいずれかを出水口４０から出水する。例えば、利用者が冷水用の操作レバーを操作すると、操作部から電磁弁３２に操作信号が送信される。電磁弁３２は、操作部からの操作信号に応じて、非通電状態から通電状態に遷移し、開閉弁が閉位置から開位置に切り替わる。その結果、配管２１と出水口４０とが連通し、冷水タンク１１内の冷水層から冷水ＣＷが配管２１を通り、合流点Ｘを介して出水口４０から出水される。操作レバーが継続して操作された場合、電磁弁３２が開状態と維持するので、出水口４０から冷水ＣＷの出水が継続される。冷水タンク１１内では、冷水ＣＷが冷水層から出水口２２ａを介して出水することで水位が低下し、常温水層から隙間を介して冷水層に常温水Ｗが流れる。常温水層の常温水Ｗは、主に、板状部１１２の外周面に形成された複数の凸部１１５の間に存在する隙間から冷水層に流れる。常温水Ｗは、冷却器１３により冷却された冷水タンク１１の内周面に沿って流れ込み、かつ冷水層の冷水ＣＷを混ざることで冷却され、温度が低下して冷水ＣＷに遷移する。操作レバーへの操作が中止された場合、電磁弁３２が開状態から閉状態に切り替わり、出水口４０からの冷水ＣＷの出水が停止する。
【００３０】
以上説明したように、本実施形態に係る飲料水供給装置１は、円筒状に形成され、上端の開口１１ａから流入する常温水Ｗを内部空間１１０に貯留して下端の出水口２２ａから出水する冷水タンク１１を備える。また、飲料水供給装置１は、冷水タンク１１に固定され、内部空間１１０の上下方向の途中に位置する仕切り板１１１と、冷水タンク１１の外周面に沿って配設され、仕切り板１１１より下方側に滞留する常温水Ｗを冷却する冷却器１３とを備える。仕切り板１１１は、円形状に形成され、冷水タンク１１の内径（または内周）より小さい外径（または外周）を有する板状部１１２と、冷水タンク１１の内底面に延在して当該板状部１１２を支持する支持部１１３とを有する。板状部１１２は、外周面から外側に突出し、周方向に間隔をおいて形成される複数の凸部１１５を有する。上記構成により、仕切り板１１１の外周面と冷水タンク１１の内周面との間の隙間に生じる偏りを低減し、冷水層へ流れる常温水Ｗの増加を抑制するので、連続して出水したときの冷水の温度上昇を抑制することができる。具体的には、冷水タンク１１に仕切り板１１１を組み付ける際に、仕切り板１１１の外周面と冷水タンク１１の内周面との間の隙間に偏りがあっても、板状部１１２の外周面に設けられた凸部１１５が冷水タンク１１の内周面に接触することで、当該偏りを低減することが可能となる。また、板状部１１２において、一対の凸部１１５が設けられた外周の外径は、従来の板状部の外径よりも大きいことから、凸部１１５が設けられた各方向に仕切り板１１１が傾いたとしても、当該凸部１１５が冷水タンク１１の内周面に接触して仕切り板１１１の傾きを抑制することができる。
【００３１】
また、本実施形態に係る飲料水供給装置１は、複数の凸部１１５が、板状部１１２の外周面から外側に突出し、当該板状部１１２の中心を挟んで互いに直交する方向（例えば第一方向Ｐ及び第二方向Ｑ）にそれぞれ形成される。これにより、板状部１１２の周方向における上記隙間の偏りを効率よく低減することができ、上述した効果をさらに奏することが可能となる。
【００３２】
また、本実施形態に係る飲料水供給装置１は、仕切り板１１１が、支持部１１３において、板状部１１２に設けられた開口１１４ａに連通し、開口１１４ａから流入する常温水Ｗを貯留して下方向の貫通孔１１７，１１８から出水する凹部１１４を有する。仕切り板１１１は、冷水タンク１１の底面を貫通して貫通孔１１７，１１８に挿通され凹部１１４内の空間部１１６と連通する２つの配管２１，２４の端部に固定される。上記構成により冷水タンク１１に仕切り板１１１を固定した場合、板状部１１２の外周面に、板状部１１２の中心Ｏを挟んで第一方向Ｐ及び／又は第二方向Ｑに対向して一対もしくは二対の凸部１１５を形成することで、隙間の偏りを効率よく低減することができる。
【００３３】
［変形例］
なお、上記実施形態では、板状部１１２は、外周面から外側に突出し、周方向に間隔をおいて形成される４つの凸部１１５を有するが、これに限定されるものではない。例えば、板状部１１２は、外周面から外側に突出し、周方向に間隔をおいて形成される３つの凸部１１５を有するものであってもよい。この場合、３つの凸部１１５は、例えば、板状部１１２の外周面に沿って一定の間隔（例えば中心角１２０°）をあけて形成されることが好ましいが、これに限定されるものではない。また、凸部１１５は、板状部１１２の外周において、隙間の偏りが生じ易い方向に設けることが好ましい。例えば、仕切り板１１１が、冷水タンク１１が固定されている２つの配管２１，２４の配列方向と直交する方向に偏りが生じやすい場合には、当該配列方向からずらした方向に凸部１１５を形成することが好ましい。
【００３４】
また、上記実施形態では、複数の凸部１１５は、仕切り板１１１の板状部１１２の外周面に形成されているが、これに限定されるものではない。例えば、複数の凸部１１５は、板状部１１２の外周面と対向する冷水タンク１１の内周面から内側に突出し、周方向に間隔をおいて形成されていてもよい。この場合、複数の凸部１１５は、板状部１１２の外周面と対向する冷水タンク１１の内周の中心を挟んで第一方向Ｐに対向して形成されていてもよい。さらに、複数の凸部１１５が、板状部１１２の外周面と対向する冷水タンク１１の内周面から内側に突出し、冷水タンク１１の内周の中心を挟んで互いに直交する方向（例えば第一方向Ｐ及び第二方向Ｑ）にそれぞれ形成されていてもよい。
【００３５】
また、上記実施形態では、飲料水供給装置１は、飲料水を供給するが、これに限定されず、飲料水以外の飲料を供給するものあってもよい。また、冷水タンク１１の容器は、円筒状に形成されているが、楕円形の円筒状に形成されていてもよい。
【符号の説明】
【００３６】
１  飲料水供給装置
１０  常温水タンク
１１  冷水タンク
１１ａ，１１４ａ  開口
１３  冷却器
２０，２１，２２，２３，２４  配管
２２ａ  出水口
４０  出水口
１１０  内部空間
１１１  仕切り板
１１２  板状部
１１３  支持部
１１４  凹部
１１５  凸部
１１６  空間部
１１７，１１８  貫通孔
Ｗ  常温水
ＣＷ  冷水
ＨＷ  温水
【図１】
2020093799.tif 000003
【図２】
2020093799.tif 000004
【図３】
2020093799.tif 000005
【図４】
2020093799.tif 000006
【図５】
2020093799.tif 000007